(57)【特許請求の範囲】
【請求項１】
ケース及び電気接続を有する電子装置に適用され、前記ケースは開口部及び案内溝を有するドア開閉機構であって、
前記ケース内に設置されると共に、本体、第一磁性部材、及びレバーから構成され、前記電気接続は前記本体に設置され、前記電気接続の接続インターフェースは前記開口部に対応させ、前記第一磁性部材は前記本体に設置され、前記レバーの一端は前記本体に接続され、他端は前記案内溝に進入させると共に前記案内溝に沿い往復して変位させ、前記本体を連動させて第一位置から前記開口部に向けて第二位置まで変位させる活動部材と、
ドア及び第二磁性部材からなり、前記ドアは前記ケースの前記開口部を被覆させると共に前記ケースに相対対向して閉扉位置と開扉位置との間を往復して変位させ、前記ドアは前記閉扉位置まで変位すると前記開口部を遮蔽させ、前記開扉位置まで変位すると前記開口部を露出させ、前記第二磁性部材は前記ドアに設置され、前記第二磁性部材と前記第一磁性部材とは磁性的に反発し合うドア部材とを備え、
前記活動部材の前記本体が前記第二位置まで変位すると、前記第一磁性部材と前記第二磁性部材とは相対対向する位置で重合し磁力を発生させ、前記磁力により前記ドアを押して前記開扉位置まで変位させ、前記電気接続の前記接続インターフェースを前記開口部に露出させる事を特徴とするドア開閉機構。
【請求項２】
前記ドア部材の前記ドアはさらに遮蔽部及び当接部を備え、前記遮蔽部は前記開口部を遮蔽させ、前記当接部は前記遮蔽部に接続されると共に前記活動部材に向け延伸され、前記第二磁性部材は前記当接部の前記活動部材に隣接する端に設置される事を特徴とする、請求項１に記載のドア開閉機構。
【請求項３】
前記ドア部材は前記当接部と前記ケースとの間に接続される弾性部材を更に有する事を特徴とする、請求項２に記載のドア開閉機構。
【請求項４】
前記ドアの前記当接部は凸状柱を有し、前記ケースは位置決め柱からなり、前記弾性部材の対向する二端は前記凸状柱及び前記位置決め柱にそれぞれ覆設される事を特徴とする、請求項３に記載のドア開閉機構。
【請求項５】
前記ケース内には位置決め構造が設置され、前記活動部材の前記本体は対置構造を有し、前記対置構造と前記位置決め構造とは凹凸により嵌め合わされ、前記位置決め構造は前記本体を案内させて前記第一位置と前記第二位置との間を往復させて変位させる事を特徴とする、請求項１に記載のドア開閉機構。
【請求項６】
前記活動部材は、前記ケース内に設置されると共に前記開口部に向け延伸されるレールを更に備え、前記本体は前記レールに設置されると共に前記レール上で前記第一位置と前記第二位置との間を往復させて変位させる事を特徴とする、請求項１に記載のドア開閉機構。
【請求項７】
前記本体は対置構造を有し、前記レールは係合構造で構成され、前記対置構造は前記係合構造に結合され、前記対置構造と前記係合構造とは凹凸により嵌め合わされる事を特徴とする、請求項６に記載のドア開閉機構。
【請求項８】
前記活動部材の前記本体は収納溝及び嵌め溝を有すると共に前記ケースの前記開口部及び前記案内溝にそれぞれ対応させ、前記電気接続及び前記第一磁性部材は前記収納溝及び前記嵌め溝内にそれぞれ設置される事を特徴とする、請求項１に記載のドア開閉機構。
【請求項９】
前記ケースの前記開口部に隣接する壁面には溝部が設置され、前記ドア部材の前記ドアは前記溝部内に係合され、前記溝部に沿い前記閉扉位置と前記開扉位置との間往復させて変位させる事を特徴とする、請求項１に記載のドア開閉機構。
【発明の詳細な説明】
【技術分野】
【０００１】
本発明は、電子装置のドア開閉機構に関する。
【背景技術】
【０００２】
現在、ＵＳＢ(Universal Serial Bus、USB) は挿脱機能を有する接続インターフェースであり、手軽に挿入させて使用できるため多くの電子装置にとって必須の標準的な接続インターフェースとなっており、そのデバイスドライバも既に標準化されており、ＵＳＢを有する装置をパソコンシステムに挿入させる場合、対応するパソコンシステムの接続インターフェースに直接插入させるのみでパソコンシステムは前記装置を即認識し、ユーザーが手動でインストール作業を行わずともすぐに使用できる。故にＵＳＢはその拡張性及び柔軟性の高さにより各領域に於いて汎く応用される。
【０００３】
一般的な電子装置、例えばキーボード、ＰＤＡ、或いはポータブルコンピュータ等の製品は皆他の電子装置に相互に接続させるための少なくとも１つのＵＳＢコネクタを有してデータ転送機能を実現させている。現在大多数の電子装置の電気接続は皆外に露出させる形式の設計を採用しており、電気接続にはカバーをされていない接続インターフェースを有するため埃や異物が電気接続内に詰まり接続インターフェースのショートや故障等の問題を引き起こし、システムがＵＳＢ装置を認識できなくなるといった使用上の困難に繋がった。また、市場にはＵＳＢコネクタを保護し防塵の役割も果たす保護蓋或いは保護カバーが既に存在し埃や異物の進入を防止し保護作用を達成させている。
【先行技術文献】
【特許文献】
【０００４】
【特許文献１】台湾実用新案登録公報第Ｍ３９４４９５号
【発明の概要】
【発明が解決しようとする課題】
【０００５】
しかしながら、前述した従来の技術では、保護蓋や保護カバーは通常独立しており、使用時にＵＳＢコネクタや電子装置から簡単に抜けてしまうため遺失しやすく、多くの消費者がこのような事態を経験しており、電気接続に対する保護作用を失うのみならずに消費者の使用意欲をも奪った。
【０００６】
このため、電子装置の電気接続能を開閉式のドアにより如何に保護し、その操作方式も簡便化出来るかがメーカーにとっての研究開発の目標となっていた。
【０００７】
そこで、本発明者は上記の欠点が改善可能と考え、鋭意検討を重ねた結果、合理的設計で上記の課題を効果的に改善する本考案の提案に到った。
【０００８】
本発明は、このような従来の問題に鑑みてなされたものである。上記課題解決のため、本発明は、ドア開閉機構を提供することを主目的とする。
【課題を解決するための手段】
【０００９】
上述した課題を解決し、目的を達成するために、本発明に係るドア開閉機構は、ケース及び電気接続を有する電子装置に適用され、前記ケースは開口部及び案内溝を有するドア開閉機構であって、前記ケース内に設置される、と共に本体、第一磁性部材、及びレバーから構成され、前記電気接続は前記本体に設置され、前記電気接続の接続インターフェースは前記開口部に対応させ、前記第一磁性部材は前記本体に設置され、前記レバーの一端は前記本体に接続され、他端は前記案内溝に進入させると共に前記案内溝に沿い往復して変位させ、前記本体を連動させて第一位置から前記開口部に向けて第二位置まで変位させる活動部材と、ドア及び第二磁性部材からなり、前記ドアは前記ケースの前記開口部を被覆させると共に前記ケースに相対対向して閉扉位置と開扉位置との間を往復して変位させ、前記ドアは前記閉扉位置まで変位すると前記開口部を遮蔽させ、前記開扉位置まで変位すると前記開口部を露出させ、前記第二磁性部材は前記ドアに設置され、前記第二磁性部材と前記第一磁性部材とは磁性的に反発し合うドア部材を備え、前記活動部材の前記本体が前記第二位置まで変位すると、前記第一磁性部材と前記第二磁性部材とは相対対向する位置で重合し磁力を発生させ、前記磁力により前記ドアを押して前記開扉位置まで変位させ、前記電気接続の前記接続インターフェースを前記開口部に露出させることを特徴とする。
【００１０】
本発明によれば、従来の電子装置の電気接続が設計上皆外に露出されるためにコネクタはカバーされていない接続インターフェースを有し、すぐに埃や異物が接続インターフェース内に詰まってしまうために引き起こされる接続インターフェースのショートや故障等の問題を解決させる。
【発明の効果】
【００１１】
本発明のドア開閉機構について、本体及びドアに磁性部材をそれぞれ設置させる構造設計により、ドアが自動ドア方式で開かせて電気接続を他の電子装置に電気的に接続させる、且つドアを自動で閉めさせて埃や異物を電気接続の接続インターフェースに付着させないようにし、接続インターフェースを保護して電子装置の耐用年数を延長させ、同時に電子装置全体の美観の向上が得られる。
【図面の簡単な説明】
【００１２】
【図１】本発明の第１実施形態によるドア開閉機構の分解概略図である。
【図２】本発明の第１実施形態によるドア開閉機構の組合せ概略図である。
【図３】本発明の第１実施形態によるドア開閉機構の動作概略図である。
【図４】本発明の第２実施形態によるドア開閉機構の分解概略図である。
【図５】本発明の第２実施形態によるドア開閉機構の組合せ概略図である。
【図６】本発明の第２実施形態によるドア開閉機構の動作概略図である。
【発明を実施するための形態】
【００１３】
以下、図面を参照し、本発明を実施するための形態について詳細に説明する。なお、本発明は、以下に説明する実施形態に限定されるものではない。
【００１４】
本発明の実施形態に係るドア開閉機構は、２つの実施形態のドア開閉機構１００を実施形態の例に挙げ説明するが、これらの実施形態に限られるものではなく、本発明の属する技術の分野において通常の知識を有する者ならば、実際の設計の要求或いは使用の要求に応じて本発明に係るドア開閉機構１００の外観の形態を改変し、市場に出回る各形態のマウス、キーボード、或いは手持ち式の電子装置等の電子装置２００内に適用して装設する事が可能である。
まず、本発明のドア開閉機構１００の第１実施形態について説明する。本発明の第１実施形態の構成を図１から図３に示す。
【００１５】
（第１実施形態）
図１及び図２は本発明の第１実施形態によるドア開閉機構１００の分解概略図である。本実施形態のドア開閉機構１００は電子装置２００に装設され、電気接続２２０の電気接続コネクタ或いは電気接続ポート等の接続インターフェースを遮蔽する。電子装置２００はケース２１０及び電気接続２２０を備え、電気接続２２０の接続インターフェースの規格はＵＳＢ、ＨＤＭＩ（登録商標）、並びにＶＧＡ等を含むが、これらに限定されない。このほか、ケース２１０は開口部２１１及び案内溝２１２を有する。以下、電気接続２２０、ドア開閉機構１００、及びケース２１０の間の相互の装設関係を詳述する。
【００１６】
本実施形態のドア開閉機構１００は、活動部材１１０及びドア部材１２０を備える。活動部材１１０は電子装置２００のケース２１０内に装設され、活動部材１１０は本体１１１、第一磁性部材１１２、及びレバー１１３で構成される。本体１１１はケース２１０の開口部２１１及び案内溝２１２にそれぞれ対応する収納溝１１５及び嵌め溝１１６を有する。電気接続２２０は収納溝１１５内に装設され、電気接続２２０の接続インターフェース２２１は開口部２１１に対応し、第一磁性部材１１２は嵌め溝１１６内に嵌装される。
【００１７】
また、図１乃至図３により説明すると、図３は本発明の第１実施形態によるドア開閉機構の動作概略図である。詳しく説明すると、レバー１１３の端は本体１１１に接続され、他端は案内溝２１２内に進入すると共にケース２１０の外に部分的に露出される。ユーザーがレバー１１３を動かすとレバー１１３は連接棒方式により本体１１１を連動し、本体１１１をケース２１０内で案内溝２１２が設置される方向に沿わせて往復して変位する。つまり、開口部２１１から離れる第一位置Ｐ１から開口部２１１に向け開口部２１１に近接する第二位置Ｐ２にまで変位し、本体１１１が第二位置Ｐ２にまで変位すると、電気接続２２０の接続インターフェース２２１はケース２１０の開口部２１１に露出される、または開口部２１１の外に延出される。
【００１８】
また、本実施形態のドア部材１２０はドア１２１及び第二磁性部材１２２を備える。ドア１２１は遮蔽部１２１１及び当接部１２１２からなる。当接部１２１２の端は遮蔽部１２１１に接続され、他端が活動部材１１０に向けて延伸されることでドア１２１はＬ字型構造を呈するが、この形状に限定はされない。また、第二磁性部材１２２は当接部１２１２の活動部材１１０に向け延伸される一端に嵌装される。ちなみに、第二磁性部材１２２と第一磁性部材１１２とは磁性的に反発し合う為第二磁性部材１２２と第一部磁性部材１２１とが相互に近接するか対向し合う位置で重合した場合、両者の間には反発し合う磁力が発生する。また、上述の第一磁性部材１１２及び第二磁性部材１２２は永久磁石、非永久磁石、或いは電磁石を包括するが、これらに限られるわけではない。
【００１９】
さらに、ケース２１０の開口部２１１に隣接する内壁面には溝部２１５が設置される。その幅はドア１２１の遮蔽部１２１１の厚さより長く、ドア部材１２０のドア１２１を遮蔽部１２１１により溝部２１５内に係合させると共に溝部２１５内で滑動し、さらにドア部材１２０を溝部２１５が設置される方向に沿ってケース２１０に対し閉扉位置Ｐ３と開扉位置Ｐ４との間を往復して変位する。ドア部材１２０は常態では閉扉位置Ｐ３に位置され、ドア１２１の遮蔽部１２１１により開口部２１１を被覆させる。ちなみに、レバー１１３が第一位置Ｐ１に位置される場合、ドア１２１は常態では閉扉位置Ｐ３に位置されて住開口部２１１を遮蔽させ、電気接続２２０の接続インターフェース２２１をドア１２１により遮蔽させることで埃や異物が開口部２１１から進入して接続インターフェース２２１に付着するのを防ぎ、接続インターフェース２２１保護の効果を達成させる。
【００２０】
相対的に、レバー１１３は案内溝２１２に沿って本体１１１を連動して開口部に向けて移動する。第二位置Ｐ２まで移動すると、本体１１１の第一磁性部材１１２とドア部材１２０の第二磁性部材１２２とは相対対向する位置で重合する。この過程に於いて第一磁性部材１１２は本体と共に移動し第二磁性部材１２２に接近すると、両者の間では反発する磁力が形成されてドア１２１の当接部１２１２に磁力による反発を加え、ドア１２１を活動部材１１０から離れる方向へ押して開扉位置Ｐ４まで移動し、ドア１２１の遮蔽部１２１１を開口部２１１から移動して開口部２１１をケース２１０に露出する。この際、電気接続２２０の接続インターフェース２２１は開口部２１１を経由してケース２１０の外表面に露出するか、或いはケース２１０の外に延出されて電子装置２００を接続インターフェース２２１により他の電子製品に電気的に接続する。
【００２１】
また、本実施形態のドア部材１２０はさらに、圧縮ばね或いは弾性スポンジ等の弾性を有し、圧縮されて変形する弾性部材１２３を有する。本実施形態では、弾性部材１２３は圧縮ばねを例に説明するが、形態はこれに限定されるものではない。本実施形態において、弾性部材１２３の配置に合わせてドア１２１の当接部１２１２には凸状柱１２１３を更に設置する。ケース２１０内のドア１２１に対向する壁面には位置決め柱２１３が設置される。位置決め柱２１３の位置は凸状柱１２１３に対応する位置であり、弾性部材１２３の対向する二端は凸状柱１２１３及び位置決め柱２１３にそれぞれ覆設し、弾性部材１２３を当接部１２１２とケース２１０との間に定位する。
【００２２】
上述した通り、磁力によりドア１２１が押されて開扉位置Ｐ４まで移動すると、弾性部材１２３の対向する二端は当接部１２１２及びケース２１０の内壁にそれぞれ当接し、弾性部材１２３は当接部１２１２に押されて圧縮されて反力を発生させる。このため、レバー１１３が第一位置Ｐ１まで回帰し、第一磁性部材１１２と第二磁性部材１２２とが互いに離されて反発する磁力が消失するとドア１２１は弾性部材１２３の反力により閉扉位置Ｐ３まで戻されて開口部２１１を再び遮蔽させ、即ち自動復帰効果を達成させてユーザーの操作は更に快適になる。
【００２３】
更に好ましい操作性を具備するために、本実施形態の活動部材１１０は、ケース２１０内に設置されると共に開口部２１１の方向に向け延伸するレール１１４を更に備える。レール１１４の頂面には係合構造１１４１を有し、その構造形態は凸状であるがこの形態のみに限定されるわけではない。本体１１１の底面には対置構造１１１１を有し、その構造形態は凹型溝であるがこの形態に限られるわけではなく、本体１１１を対置構造１１１１によりレール１１４の係合構造１１４１に結合させ、このように凹凸により嵌め合わされる構造により本体１１１に第一位置Ｐ１と第二位置Ｐ２との間を往復させての滑動を行わせ、また電気接続２２０の装設時に開口部２１１との位置合わせが更に容易になり、接続インターフェース２２１が震動や外力により衝撃を受けて開口部２１１から離れるのを防ぎ、これにより定位機能を達成し、ユーザーの操作性が向上する。
次は、本発明のドア開閉機構１００の第２実施形態について説明する。なお、本発明の第２実施形態の構成を図４から図６に示す。
【００２４】
（第２実施形態）
図４及び図５は本発明の第２実施形態によるドア開閉機構１００の分解／組合せ概略図である。本実施形態の第２実施形によるドア開閉機構１００全体と上述の第一実施形態によるドア開閉機構とは構造が似ているため、両者の差異についてのみ詳細に説明する。
【００２５】
本発明の第２実施形態のドア開閉機構１００と上述の第一実施形態によるドア開閉機構の構造上の差異は、第二実施形態のケース２１０の開口部２１１は案内溝２１２の方向に向けて延伸する位置限定段を有し、ケース２１０の溝部２１５が外壁面の開口部２１１に隣接する一方に設置される点である。その他、ドア部材１２０の配置上、ドア部材１２０のドア１２１は遮蔽部１２１１及び当接部１２１２を備え、当接部１２１２の端は遮蔽部１２１１に接続し、当接部１２１２の幅は遮蔽部１２１１の幅より狭く、また当接部１２１２の幅は開口部２１１に接続する位置限定段に相互に整合する。
【００２６】
図４乃至図６に基づいて説明すると、図６は本実施形態の第２実施形によるドア開閉機構１００の動作概略図である。ちなみに、溝部２１５はケース２１０の外壁面に設置されるため、ドア部材１２０の組み立てでは、ドア１２１の当接部１２１２に開口部２１１の位置限定段を貫通させた後、当接部１２１２を溝部２１５内に進入させ、常態では遮蔽部１２１１はケース２１０の外から開口部２１１を遮蔽させる。従って、本実施形態のドア部材１２０はユーザーの指によりドア１２１の遮蔽部１２１１が直接押され、当接部１２１２を位置限定段内で滑動させてドア部材１２０を溝部２１５が設置される方向に沿わせケース２１０に対して閉扉位置Ｐ３と開扉位置Ｐ４との間を往復させて変位させ、第一実施形態と同じく開口部２１１の開閉機能を達成させる。
【００２７】
同時に、良好な操作性を具備させるため、本実施形態によるとケース２１０内に凸状の位置決め構造２１４を選択的に設置させ、活動部材１１０の本体１１１の底面には凹型溝の対置構造１１１１を設置させ、本体１１１の対置構造１１１１とケース２１０の位置決め構造２１４とを凹凸により嵌め合わせる方式で相互に結合させ、本体１１１に第一位置Ｐ１と第二位置Ｐ２との間を往復させて滑動させ、電気接続２２０の組み立て時に開口部２１１との位置合わせがより簡単になり、組み立て後も開口部２１１から外れにくくなり、これにより第一実施形態でのレール１１４と対置構造１１１１との定位機能と同様の定位機能を達成させる。
【００２８】
上述の本発明の各実施形態の説明で明確なように、本発明のドア開閉機構はドア部材がケース上で開口部を開閉させるよう配置することで、従来の電子装置の電気接続が皆外に露出される設計を採用するため接続インターフェースに埃や異物が付着しショートや故障等を引き起こす問題を解決させる。
【００２９】
既存の技術と比べると、本発明のドア開閉機構は、活動部材の本体及びドア部材のドアに磁性部材をそれぞれ設置させる構造設計を用いて、ドアが磁力による反発により自動で開くためユーザーの操作が更に快適になる。このほか、更に弾性部材を設置させるならば、ドア部材は全自動化された開閉機能を有することになり、ドア部材のドアはより堅固に開口部を被覆させて埃や異物が開口部から入り電気接続の接続インターフェースに付着するのを完全に防止させ、接続インターフェースを更に保護させて、同時に電子装置の耐用年数を延長させた上電子装置全体の美観も向上させる。このほか、従来の技術に比べ本発明では、従来のドア開閉機構にある連接棒により連動機構を組成する構造を簡略化させ、ドア構造の製造コストを減少させる以外、内部空間が制限されている薄型の電子装置にも応用でき、これにより本発明に係るドア開閉機構の応用性を大幅に高める。
【００３０】
以上、本発明の実施形態について図面を参照して詳述したが、具体的な構成はこの実施形態に限られるものではなく、本発明の要旨を逸脱しない範囲の設計変更等も含まれる。
【符号の説明】
【００３１】
１００  …  ドア開閉機構
１１０  …  活動部材
１１１  …  本体
１１２  …  第一磁性部材
１１３  …  レバー
１１４  …  レール
１１５  …  収納溝
１１６  …  嵌め溝
１２０  …  ドア部材
１２１  …  ドア
１２２  …  第二磁性部材
１２３  …  弾性部材
２００  …  電子装置
２１０  …  ケース
２１１  …  開口部
２１２  …  案内溝
２１３  …  位置決め柱
２１４  …  位置決め構造
２１５  …  溝部
２２０  …  電気接続
２２１  …  接続インターフェース
１１１１  …  対置構造
１１４１  …  係合構造
１２１１  …  遮蔽部
１２１２  …  当接部
１２１３  …  凸状柱
Ｐ１  …  第一位置
Ｐ２  …  第二位置
Ｐ３  …  閉扉位置
Ｐ４  …  開扉位置
【要約】
【課題】電子装置のドア開閉機構を提供する。
【解決手段】活動部材とドア部材で構成される。活動部材は電子装置のケース内に設置され、ケースの開口部に対応させる電気接続を積載させる。ドア部材はケースに設置されると共に開口部を開閉させる。活動部材は第一磁性部材を有し、ドア部材は第二磁性部材からなり、第二磁性部材と第一磁性部材とは磁性的に反発し合い、ドア部材は常態では開口部を遮蔽させて電気接続を保護させ、活動部材がドア部材に近接するとドア部材は磁力により開扉され、電気接続を開口部に露出させて電気的接続機能を提供させる。
【選択図】図１【図１】
0005535378.tif 000002
【図２】
0005535378.tif 000003
【図３】
0005535378.tif 000004
【図４】
0005535378.tif 000005
【図５】
0005535378.tif 000006
【図６】
0005535378.tif 000007